(57)【要約】【課題】  発光素子の背方にスペースを確保することができ、部品設計の自由度を向上させることができる光ピックアップ装置を提供すること。【解決手段】  光ビームを出射するＬＤ１１０において、第１の面１６０と第１の面１６０の背面としての第２の面１６１とを有するステム１１２と、第１の面１６０に接合されたヒートシンク１１３と、第１の面１６０及び第２の面１６１を貫通する複数のリード１１４、１１５と、ヒートシンク１１３に保持されリード１１４、１１５に導通するチップ１１７とを備え、出射された光ビームの光軸１０１を含む平面によってステム１１２が二つの領域１７０、１７１に分けられた場合に、リード１１４、１１５が何れか一方の領域１７０に設けられるようにＬＤ１１０を構成する。【選択図】  図２
2005268361.tif 000002
【特許請求の範囲】
【請求項１】
光ビームを出射する発光素子において、
第１の面と前記第１の面の背面としての第２の面とを有する基部と、前記第１の面に接合された壁部と、前記第１の面及び前記第２の面を貫通する複数のリードと、前記壁部に保持され前記リードに導通するチップとを備え、
前記出射された光ビームの光軸を含む平面によって前記基部が二つの領域に分けられた場合に、前記リードが何れか一方の前記領域に設けられたことを特徴とする発光素子。
【請求項２】
請求項１に記載の発光素子において、
前記リードは、前記出射された光ビームの光軸を中心とする円周上に設けられたことを特徴とする発光素子。
【請求項３】
請求項１又は請求項２に記載の発光素子において、
前記リードが一方の前記領域に設けられ、前記壁部が他方の前記領域に設けられたことを特徴とする発光素子。
【請求項４】
請求項１から請求項３の何れか一項に記載の発光素子と、前記出射された光ビームを情報記録媒体に照射する光学部材とを備えることを特徴とする光ピックアップ装置。
【発明の詳細な説明】
【技術分野】
【０００１】
本願は、情報記録媒体に光ビームを照射する光ピックアップ装置の技術分野に属する。
【背景技術】
【０００２】
従来、この種の光ピックアップ装置として、光ビームを出射する発光素子と出射された光ビームを情報記録媒体に照射する光学部材とを備えるものが知られている（例えば、特許文献１参照）。
【０００３】
具体的には、従来の発光素子は、円板状のステムと、ステムに接合されたヒートシンクと、ステムを貫通する複数（例えば３本）のリードと、ヒートシンクに保持され、リードに導通するチップと、チップを保護するキャップとを有している。
【特許文献１】特開２００４−５９０３号公報（第６頁、第２図）
【発明の開示】
【発明が解決しようとする課題】
【０００４】
しかしながら、上述した従来の光ピックアップ装置は、複数（例えば３本）のリードが出射された光ビームの光軸を中心とする円周上に等間隔に配置されているので、発光素子の背方にスペースを確保することができないという事情があった。
【０００５】
そこで、本願は、上述した事情を鑑みてなされたものであり、その課題の一例として、発光素子の背方にスペースを確保することができ、部品設計の自由度を向上させることができる光ピックアップ装置を提供することを目的とする。
【課題を解決するための手段】
【０００６】
上述した課題を解決するために、請求項１に記載の発光素子は、光ビームを出射する発光素子において、第１の面と前記第１の面の背面としての第２の面とを有する基部と、前記第１の面に接合された壁部と、前記第１の面及び前記第２の面を貫通する複数のリードと、前記壁部に保持され前記リードに導通するチップとを備え、前記出射された光ビームの光軸を含む平面によって前記基部が二つの領域に分けられた場合に、前記リードが何れか一方の前記領域に設けられたことを特徴とする構成を有している。
【発明を実施するための最良の形態】
【０００７】
以下、本願を実施するための最良の形態について、図面を用いて説明する。なお、以下説明する実施形態は、本願に係る光ピックアップ装置を、例えば、情報記録再生装置に適用した場合の実施形態を示している。
【０００８】
具体的には、本実施形態における情報記録再生装置は、ＣＤ（Compact Disc）、ＭＤ（Mini Disc）、ＭＯディスク（Magneto Optical Disc）、ＤＶＤ（Digital Versatile Disc）、その他の大容量ディスクなどの情報記録媒体（以下、単に「光ディスク」という。）に光ビームを照射することにより、情報の記録又は再生を行うものである。
【０００９】
まず、本実施形態における情報記録再生装置の構成について、図１を用いて説明する。なお、図１は、本実施形態における情報記録再生装置の斜視図である。
【００１０】
本実施形態における情報記録再生装置１００は、図１に示すように、光ビームを出射する発光素子の一例としてのＬＤ（Laser Diode）１１０、１１１と、ＬＤ１１０、１１１から出射された光ビームを図示しない光ディスクに照射する光学部材１２０と、光学部材１２０を介して入射された光ビームを受光するＰＤ（Photo Detector）１４０、１４１と、各部材を支持するフレーム１５０とを備えている。
【００１１】
ＬＤ１１０は、例えば、ＤＶＤ用の短波長（例えば６５０ｎｍ）のレーザを生成し、当該生成された光ビームを光学部材１２０に出射するようになっている。このように、ＬＤ１１０から出射された光ビームは、情報の記録又は再生に用いられるようになっている。なお、ＬＤ１１０の構成については下述する。
【００１２】
ＬＤ１１１は、例えば、ＣＤ用の長波長（例えば７８０ｎｍ）のレーザを生成し、当該生成された光ビームを光学部材１２０に出射するようになっている。このように、ＬＤ１１１から出射された光ビームは、情報の記録又は再生に用いられるようになっている。
【００１３】
光学部材１２０は、グレーティング１２１、１２２と、合成プリズム１２３と、ハーフプリズム１２４と、液晶板１２５と、コリメータレンズ１２６と、１／４波長板１２７と、立ち上げミラー１２８と、対物レンズ１２９と、マルチレンズ１３０とを有し、ＬＤ１１０、１１１の光軸に沿って配置されている。
【００１４】
グレーティング１２１は、ＬＤ１１０から入射された光ビームを回折することにより、例えば、０次光及び±１次光に分割し、当該分割された光ビームを合成プリズム１２３に出射するようになっている。
【００１５】
グレーティング１２２は、ＬＤ１１１から入射された光ビームを回折することにより、例えば、０次光及び±１次光に分割し、当該分割された光ビームを合成プリズム１２３に出射するようになっている。
【００１６】
合成プリズム１２３は、グレーティング１２１から入射された光ビームを反射し、当該反射された光ビームをハーフプリズム１２４に出射するようになっている。また、合成プリズム１２３は、グレーティング１２２から入射された光ビームを透過し、当該透過された光ビームをハーフプリズム１２４に出射するようになっている。
【００１７】
ハーフプリズム１２４は、合成プリズム１２３から入射された光ビームの一部を透過し、当該透過された光ビームを液晶板１２５に出射するようになっている。また、ハーフプリズム１２４は、合成プリズム１２３から入射された光ビームの一部を反射し、当該反射された光ビームをＰＤ１４１に出射するようになっている。
【００１８】
さらに、ハーフプリズム１２４は、光ディスクによって反射され、対物レンズ１２９、立ち上げミラー１２８、１／４波長板１２７、コリメータレンズ１２６及び液晶板１２５を介して入射された光ビームを反射し、当該反射された光ビームをマルチレンズ１３０に出射するようになっている。
【００１９】
液晶板１２５は、ハーフプリズム１２４から入射された光ビームに位相差を付与することにより、光ビームに発生する波面収差を補正し、当該補正された光ビームをコリメータレンズ１２６に出射するようになっている。
【００２０】
コリメータレンズ１２６は、液晶板１２５から入射された光ビームを発散光から平行光に変換し、当該変換された光ビームを１／４波長板１２７に出射するようになっている。
【００２１】
１／４波長板１２７は、コリメータレンズ１２６から入射された光ビームを直線偏光から円偏光に変換し、当該変換された光ビームを立ち上げミラー１２８に出射するようになっている。
【００２２】
立ち上げミラー１２８は、１／４波長板１２７から入射された光ビームを反射し、当該反射された光ビームを対物レンズ１２９に出射するようになっている。
【００２３】
対物レンズ１２９は、立ち上げミラー１２８から入射された光ビームを集光し、当該集光された光ビームを光ディスクに照射するようになっている。
【００２４】
マルチレンズ１３０は、ハーフプリズム１２４から入射された光ビームを集光し、当該集光された光ビームをＰＤ１４０に照射するようになっている。
【００２５】
ＰＤ１４０は、マルチレンズ１３０から入射された光ビームを受光し、当該受光された光ビームに応じて受光信号を生成し、当該生成された受光信号を図示しない信号処理回路に出力するようになっている。そして、信号処理回路は、ＰＤ１４０から入力された受光信号に基づいて、トラッキングサーボ及びフォーカスサーボを実行するためのエラー信号を生成するとともに、光ディスクに記録された情報をデコードするようになっている。
【００２６】
ＰＤ１４１は、ハーフプリズム１２４から入射された光ビームを受光し、当該受光された光ビームに応じて受光信号を生成し、当該生成された受光信号を図示しないＡＰＣ（Auto Power Control）回路に出力するようになっている。そして、ＡＰＣ回路は、ＰＤ１４１から入力された受光信号に基づいて、ＬＤ１１０、１１１の発光出力を制御するようになっている。
【００２７】
フレーム１５０は、ＬＤ１１０を背方から保持するホルダ１５１、１５２を有している。そして、ＬＤ１１０は、ホルダ１５１が回動することにより、フレーム１５０に対する傾きが調整されるようになっている。
【００２８】
次に、本実施形態における発光素子の構成について、図２及び図３を用いて説明する。なお、図２及び図３は、図１に示した情報記録再生装置の発光素子の斜視図である。
【００２９】
本実施形態におけるＬＤ１１０は、図２に示すように、基部の一例としてのステム１１２と、壁部の一例としてのヒートシンク１１３と、複数（例えば２本）のリード１１４、１１５と、レーザを生成するチップ１１７と、チップ１１７を保護するキャップ１１８とを有し、ホルダ１５１、１５２を介してフレーム１５０に支持されている。
【００３０】
ステム１１２は、Ｉ字状（Ｉカット）に形成された金属材料からなり、第１の面１６０と第１の面１６０の背面としての第２の面１６１とを有している。
【００３１】
なお、本実施形態において、ステム１１２は、Ｉ字状（Ｉカット）に形成されているが、これに限らず、Ｄ字状（Ｄカット）、円板状などに形成されてもよい。
【００３２】
また、ステム１１２には、複数の孔１６２、１６３と、複数の溝１６４、１６５とが形成されている。そして、ＬＤ１１０は、溝１６４、１６５を基準としてホルダ１５１、１５２に取り付けられることにより、フレーム１５０に対して位置決めされるようになっている。
【００３３】
ヒートシンク１１３は、半円状に形成された金属材料からなり、ステム１１２の第１の面１６０に接合されている。そして、ヒートシンク１１３は、チップ１１７に発生する熱を外部に放出するようになっている。
【００３４】
リード１１４、１１５は、棒状に形成された金属材料からなり、ステム１１２の孔１６２、１６３に挿入され、ステム１１２の第１の面１６０及び第２の面１６１を貫通し、図示しない絶縁材料を介してステム１１２に保持されている。
【００３５】
チップ１１７は、出射された光ビームの光軸１０１とステム１１２の中心軸１０２とが一致するようにヒートシンク１１３に保持され、ワイヤ１６６、１６７を介してリード１１４、１１５に導通している。これにより、リード１１４がアノード端子になるとともに、リード１１５がグランド端子になる。
【００３６】
なお、本実施形態において、チップ１１７は、ワイヤ１６７を介してリード１１５に導通しているが、これに限らず、ワイヤ１６８、ヒートシンク１１３及びステム１１２を介してリード１１５に導通してもよい。このときに、リード１１５は、図示しない金属材料を介してステム１１２に保持されている。
【００３７】
また、リード１１４、１１５は、出射された光ビームの光軸１０１を含む平面によってステム１１２が二つの領域１７０、１７１に分けられた場合に、ステム１１２の一方の領域１７０に設けられ、ステム１１２に対して所定方向、例えば、上方向に偏倚している。
【００３８】
さらに、リード１１４、１１５は、出射された光ビームの光軸１０１を中心とする円周上に設けられ、出射された光ビームの光軸１０１から等距離に位置している。
【００３９】
具体的には、リード１１４、１１５が一方の領域１７０に設けられ、ヒートシンク１１３が他方の領域１７１に設けられ、リード１１４、１１５及びヒートシンク１１３が出射された光ビームの光軸１０１を中心とする円周上に設けられている。
【００４０】
キャップ１１８は、キャップ１１８の中心軸１０３とステム１１２の中心軸１０２とが一致するようにステム１１２の第１の面１６０に接合され、ヒートシンク１１３、リード１１４、１１５及びチップ１１７を収容するようになっている。そして、チップ１１７は、キャップ１１８に形成された開口１７２を介して光ビームを出射するようになっている。
【００４１】
また、リード１１４、１１５は、図３に示すように、ホルダ１５２に形成されたＵ字状の切欠１７３を介して背方に延在している。このときに、リード１１４、１１５がステム１１２に対して偏倚していることにより、切欠１７３を小さくすることが可能になるとともに、ホルダ１５２を薄型化及び単純化することが可能になる。
【００４２】
以上説明したように、本実施形態では、ＬＤ１１０は、光ビームを出射するＬＤ１１０において、第１の面１６０と第１の面１６０の背面としての第２の面１６１とを有するステム１１２と、第１の面１６０に接合されたヒートシンク１１３と、第１の面１６０及び第２の面１６１を貫通する複数のリード１１４、１１５と、ヒートシンク１１３に保持されリード１１４、１１５に導通するチップ１１７とを備え、出射された光ビームの光軸１０１を含む平面によってステム１１２が二つの領域１７０、１７１に分けられた場合に、リード１１４、１１５が何れか一方の領域１７０に設けられたことを特徴とする構成を有している。
【００４３】
この構成により、本実施形態では、リード１１４、１１５がステム１１２の一方の領域１７０に設けられ、ステム１１２に対して偏倚しているので、ＬＤ１１０の背方にスペースを確保することができ、部品設計の自由度を向上させることができる。
【００４４】
また、本実施形態では、リード１１４、１１５は、出射された光ビームの光軸１０１を中心とする円周上に設けられたことを特徴とする構成を有している。
【００４５】
この構成により、本実施形態では、リード１１４、１１５が出射された光ビームの光軸１０１を中心とする円周上に設けられ、出射された光ビームの光軸１０１から等距離に位置しているので、従来のＬＤの部品を利用することができ、生産設備を共用することができる。したがって、複数（例えば３本）のリードが設けられた従来のＬＤに使用される、ステム、ヒートシンク、リード、チップ、キャップなどの部品及び生産設備を、必要に応じてそのまま流用することが可能になる。
【００４６】
また、本実施形態では、リード１１４、１１５が一方の領域１７０に設けられ、ヒートシンク１１３が他方の領域１７１に設けられたことを特徴とする構成を有している。
【００４７】
また、本実施形態では、情報記録再生装置１００は、上述したＬＤ１１０と、出射された光ビームを光ディスクに照射する光学部材１２０とを備えることを特徴とする構成を有している。
【図面の簡単な説明】
【００４８】
【図１】本願の一実施形態における情報記録再生装置の斜視図である。
【図２】図１に示した情報記録再生装置の発光素子の斜視図である。
【図３】図１に示した情報記録再生装置の発光素子の斜視図である。
【符号の説明】
【００４９】
１００  情報記録再生装置
１０１  光軸
１１０、１１１  ＬＤ
１１２  ステム
１１３  ヒートシンク
１１４、１１５  リード
１１７  チップ
１１８  キャップ
１２０  光学部材
１４０、１４１  ＰＤ
１５０  フレーム
１５１、１５２  ホルダ
１６０  第１の面
１６１  第２の面
１７０、１７１  領域
【図１】
2005268361.tif 000003
【図２】
2005268361.tif 000004
【図３】
2005268361.tif 000005